(57)【要約】      （修正有）【課題】外部フレームの係合孔から雨水などの液体が筐体内部に浸入する場合であっても、その雨水などの液体が筐体内部に備えた電子部品まで浸入するのを防止する。また、外部フレームと内部フレームとを係合して筐体を設ける際、接続部材を用いずに製造コストを削減する防水構造を有する電子機器を提供する。【解決手段】ＬＥＤ表示装置は、その筐体側面が内部フレームとその外方に配する外部フレーム１２とが係合されてなり、その筐体表裏面が透明パネルからなる。内部フレームは４個の板状のフレーム片１１１によって筐体内部に備えた電子部品の側面を囲むように設けられている。フレーム片１１１には、雨水等の液体が外部フレーム１２の係合孔１２１からフレーム片１１１を通して筐体内部に備えた電子部品へ浸入するのを防止する防止手段１１６、１１７が設けられている。【選択図】図２
2004152788.tif 000002
【特許請求の範囲】
【請求項１】
内部フレームとその外方に配する外部フレームとが係合されて筐体が構成され、この筐体内部に電子部品が備えられた防水構造を有する電子機器であって、
前記外部フレームには、前記内部フレームと係合するための係合孔が設けられ、
雨水等の液体が前記係合孔から前記内部フレームを通して前記電子部品へ浸入するのを防止する防止手段が、前記内部フレームに設けられたことを特徴とする防水構造を有する電子機器。
【請求項２】
前記防止手段は、前記内部フレームに、前記外部フレームの係合孔と連通する外部用係合孔と、この外部用係合孔を含む前記電子部品側の一部の空間を閉塞してその他の電子部品側の空間と隔てるための閉塞フレームとが設けられてなり、
前記閉塞フレームによって閉塞された空間内で、外部から前記係合孔と前記外部用係合孔とを通って筐体内部に備えた前記電子部品へ達する液体の浸入を止めることを特徴とする請求項１に記載の防水構造を有する電子機器。
【請求項３】
前記内部フレームは、複数個のフレーム片が隣接して設けられ、
前記フレーム片には、隣接する他のフレーム片と係合するための内部用係合孔および内部用係合部が設けられ、この内部用係合部が前記閉塞フレームによって閉塞された空間内に設けられたことを特徴とする請求項２に記載の防水構造を有する電子機器。
【請求項４】
前記防止手段は、前記内部フレームに、前記外部フレームの係合孔と連通する外部用係合凹部が設けられてなり、
前記外部用係合凹部の底で、外部から前記係合孔を通って筐体内部に備えた前記電子部品へ達する液体の浸入を止めることを特徴とする請求項１に記載の防水構造を有する電子機器。
【請求項５】
前記外部用係合孔の前記外部フレーム側の開口端が被覆されたことを特徴とする請求項２または３に記載の防水構造を有する電子機器。
【請求項６】
前記内部用係合孔と前記内部用係合部とは、前記フレーム片の長手方向端部に設けられたことを特徴とする請求項３に記載の防水構造を有する電子機器。
【請求項７】
前記内部フレームは、複数個のフレーム片が隣接して設けられ、
前記フレーム片の長手方向端面がその側面に対して傾斜するよう形成され、前記内部フレームは、それぞれ隣接する前記フレーム片の隣接する前記長手方向端面においてフレームパッキンが介在されてなることを特徴とする請求項１に記載の防水構造を有する電子機器。
【発明の詳細な説明】
【０００１】
【発明の属する技術分野】
本発明は、防水構造を有する電子機器に関する。
【０００２】
【従来の技術】
従来、屋外に設置されるＬＥＤ表示装置等の電子機器は、風雨にさらされその筐体内部に水が浸入する恐れがあるため、防水構造を有する必要があり、この防水構造を有したＬＥＤ表示装置等の電子機器が開発されている（例えば、特許文献１参照。）。
【０００３】
下記する特許文献１に記載されているＬＥＤ表示装置は、図７に示すように、周囲の上下左右をアルミニウム等から成る外部フレーム９１で囲われている。この外部フレーム９１の四隅の角部分にコーナーキャビネット９２が配置され、表示面に全面パネル９３が配置され、その背面に図示しない背面板が配置されている。また、外部フレーム９１の内方に内部フレーム９４が設けられ、この内部フレーム９４の内方、すなわち筐体内部には図示しないＬＥＤ表示パネルが収納されている。これら外部フレーム９１と内部フレーム９４とには、それぞれ係合孔９５が設けられ、外部フレーム９１と内部フレーム９４とは、ねじ９６を用いてそれぞれの係合孔９５において係合されている。また、外部フレーム９１とコーナーキャビネット９２との間には、防水のための防水用パッキン９７が配置されている。
【０００４】
この特許文献１に記載されたＬＥＤ表示装置９によれば、防水用パッキン１０により、外部フレーム９１とコーナーキャビネット９２との間から雨水が筐体内部に浸入するのを防ぐことができる。
【０００５】
【特許文献１】
特開平１１−２３８４０７号公報
【０００６】
【発明が解決しようとする課題】
しかし、このＬＥＤ表示装置９では、防水用パッキン９７によって外部フレーム９１とコーナーキャビネット９２との間からの雨水の筐体内部への浸入を防ぐことはできるが、外部フレーム９１と内部フレーム９４との係合に用いられている外部フレーム９１の係合孔９５から雨水が筐体内部に浸入する。この雨水は、内部フレーム９４の係合孔９５を通して筐体内部に収納されたＬＥＤ表示パネルまで浸入し、ＬＥＤ表示パネルを壊す恐れがある。
【０００７】
そこで、上記課題を解決するために本発明は、外部フレームの係合孔から雨水などの液体が筐体内部に浸入する場合であっても、その雨水などの液体が筐体内部に備えた電子部品まで浸入するのを防止する防水構造を有する電子機器を提供することを目的とする。また、本発明は、外部フレームと内部フレームとを係合して筐体を設ける際、別途連結部材を用いずに製造コストを削減する防水構造を有する電子機器も提供することを目的とする。
【０００８】
【課題を解決するための手段】
上記目的を達成するため本発明にかかる防水構造を有する電子機器は、内部フレームとその外方に配する外部フレームとが係合されて筐体が構成され、この筐体内部に電子部品が備えられた防水構造を有する電子機器であって、前記外部フレームには、前記内部フレームと係合するための係合孔が設けられ、雨水等の液体が前記係合孔から前記内部フレームを通して前記電子部品へ浸入するのを防止する防止手段が、前記内部フレームに設けられたことを特徴とする。
【０００９】
この発明によれば、外部フレームに係合孔が設けられ、内部フレームに防止手段が設けられているので、外部フレームの係合孔から雨水などの液体が筐体内部に浸入する場合であっても、防止手段によりその雨水などの液体が係合孔から内部フレームを通して筐体内部に備えた電子部品へ浸入するのを防止することが可能となる。
【００１０】
上記構成において、上記防止手段は、上記内部フレームに、上記外部フレームの係合孔と連通する外部用係合孔と、この外部用係合孔を含む上記電子部品側の一部の空間を閉塞してその他の電子部品側の空間と隔てるための閉塞フレームとが設けられてなり、上記閉塞フレームによって閉塞された空間内で、外部から上記係合孔と上記外部用係合孔とを通って筐体内部に備えた上記電子部品へ達する液体の浸入を止めてもよい。
【００１１】
この場合、内部フレームに外部用係合孔と閉塞フレームとが設けられているので、この閉塞フレームによって閉塞された空間内で、外部から係合孔と外部用係合孔とを通って筐体内部に備えた電子部品へ達する液体の浸入を止めることが可能となる。
【００１２】
上記構成において、上記内部フレームは、複数個のフレーム片が隣接して設けられ、上記フレーム片には、隣接する他のフレーム片と係合するための内部用係合孔および内部用係合部が設けられ、この内部用係合部が上記閉塞フレームによって閉塞された空間内に設けられてもよい。
【００１３】
この場合、内部フレームを構成するフレーム片に内部用係合孔および内部用係合部が設けられ、内部用係合部が閉塞フレームによって閉塞された空間内に設けられているので、雨水などの液体が係合孔から内部フレームの内部用係合部を通して筐体内部に備えた電子部品へ浸入する場合であっても、閉塞フレームによって閉塞された空間内でその浸入を止めることが可能となる。また、内部用係合孔および内部用係合部がフレーム片に設けられているので、複数個のフレーム片を連接するために別途連結部材を用いなくてもよく、製造コストを削減することが可能となる。
【００１４】
上記構成において、上記外部用係合孔の上記外部フレーム側の開口端が被覆されてもよい。
【００１５】
この場合、外部用係合孔の外部フレーム側の開口端が被覆されているので、外部から係合孔と外部用係合孔とを通って筐体内部に備えた電子部品へ達する雨水などの液体の浸入を、外部用係合孔の外部フレーム側の開口端において止めることが可能となる。
【００１６】
また、上記構成において、上記防止手段は、上記内部フレームに、上記外部フレームの係合孔と連通する外部用係合凹部が設けられてなり、上記外部用係合凹部の底で、外部から上記係合孔を通って筐体内部に備えた上記電子部品へ達する液体の浸入を止めてもよい。
【００１７】
この場合、内部フレームに外部用係合凹部が設けられているので、外部から係合孔を通って筐体内部に備えた電子部品へ達する雨水などの液体の浸入を、外部用係合凹部の底で止めることが可能となる。
【００１８】
上記構成において、上記内部用係合孔と上記内部用係合部とは、上記フレーム片の長手方向端部に設けられてもよい。
【００１９】
この場合、ねじ等の係合部材を用いて、複数個のフレーム片から内部フレームが設けられたとしても、フレーム片の内部用係合孔が設けられた面からこのフレーム片と隣接するフレーム片の内部用係合部への距離を短くして、この短くした距離だけ係合部材の係合部の長さを短くすることが可能となり、その結果、製造コストを削減することが可能となる。
【００２０】
上記構成において、上記内部フレームは、複数個のフレーム片が隣接して設けられ、上記フレーム片の長手方向端面がその側面に対して傾斜するよう形成され、上記内部フレームは、それぞれ隣接する上記フレーム片の隣接する上記長手方向端面においてフレームパッキンが介在されてもよい。
【００２１】
この場合、フレーム片の長手方向端面がその側面に対して傾斜するよう形成され、内部フレームは、それぞれ隣接するフレーム片の隣接する長手方向端面においてフレームパッキンが介在されているので、複数個のフレーム片のそれぞれ隣接する長手方向端面から筐体内部に備えた電子部品への雨水などの液体の浸入を防止することが可能となる。また、複数個のフレーム片を連接するために別途連結部材を用いなくてもよく、製造コストを削減することが可能となる。
【００２２】
【発明の実施の形態】
以下、本発明の実施の形態について図面を参照して説明する。なお、以下に示す各実施の形態では、電子機器としてＬＥＤ表示装置に本発明を適用した場合を示す。なお、本発明は、防水構造を有する必要がある電子機器であればＬＥＤ表示装置に限定されない。
【００２３】
＜実施の形態１＞
本実施の形態１にかかる防水構造を有するＬＥＤ表示装置を、図１、図２、図３、図４に示す。
【００２４】
このＬＥＤ表示装置１は、図１に示すように、その筐体側面が内部フレーム１１とその外方に配する外部フレーム１２とが係合されてなり、その筐体表裏面が透明パネル１３からなる。また、このＬＥＤ表示装置１の各隅部に、外部フレーム１２の長手方向端部１２ａを覆うコーナーカバー１４が設けられ、筐体内部に、表示部とコントロール部とからなる電子部品（図示省略）が備えられている。
【００２５】
外部フレーム１２には、図２、図３に示すように、側面中央部に内部フレーム１１と係合するための係合孔１２１が設けられている。また、この外部フレーム１２の表裏面側端部１２ｂには、筐体表裏面の透明パネル１３をパネルパッキン１５を介して内部フレーム１１と圧着して筐体内部を密封状態にするための押圧部１２２が形成されている。
【００２６】
内部フレーム１１は、図１に示すように、４個の板状のフレーム片１１１によって筐体内部に備えた電子部品の側面を囲むようにして設けられている。
【００２７】
フレーム片１１１は、図２、図４に示すように、アルミニウム等の一枚板を用いて押出成形によりその表裏面側端部１１１ｄが直角に同一方向に折曲形成されてなる。このフレーム片１１１には、隣接する他のフレーム片１１１（図２参照）と係合するための内部用係合孔１１２および内部用係合部１１３が設けられている。また、内部用係合孔１１２はフレーム片１１１の側面１１１ｃに設けられ、内部用係合部１１３はフレーム片１１１の長手方向端部１１１ａであって側面から突出して設けられている（図４参照）。また、このフレーム片１１１の長手方向端面１１１ｂが、図２に示すように、その側面１１１ｃに対して４５°の角度をもって傾斜するよう形成されている。内部フレーム１１は、４個のフレーム片１１１の長手方向端面１１１ｂ同士を接続面としてフレームパッキン１６を介して接し、内部用係合孔１１２からねじ１７を挿入し、隣接する他のフレーム片１１１の内部用係合部１１３に係合させて設けられている。また、このフレーム片１１１の表裏面側端部１１１ｄには、外部フレーム１２を外方から圧着して透明パネル１３を内部フレーム１１と外部フレーム１２とによって挟持して筐体内部を密封状態にするためのパネルパッキン１５を配する凹部１１４が設けられている（図２（ｂ）参照）。
【００２８】
また、内部フレーム１１には、図４に示すように、雨水等の液体が外部フレーム１２の係合孔１２１から内部フレーム１１を通して筐体内部に備えた電子部品へ浸入するのを防止する防止手段１１５が設けられている。
【００２９】
この防止手段１１５は、フレーム片１１１に、外部フレーム１２の係合孔１２１と連通する外部用係合孔１１７と、この外部用係合孔１１７を含む筐体内部に備えた電子部品側の一部の空間Ａ１を閉塞してその他の電子部品側の空間Ａ２と隔てるための閉塞フレーム１１６とが設けられてなる（図４参照）。また、外部用係合孔１１７にはねじ固定用タップ１１８が設けられ、このねじ固定用タップ１１８は貫通している。
【００３０】
この閉塞フレーム１１６によって閉塞された空間Ａ１内で、外部から係合孔１２１と外部用係合孔１１７とを通って筐体内部に備えた電子部品へ達する液体の浸入を止める。
【００３１】
次に、このＬＥＤ表示装置１の製造方法について、図１、図２、図３を用いて以下に説明する。
【００３２】
まず、図２に示すように、４個のフレーム片１１１を、それぞれの長手方向端面１１１ｂをフレームパッキン１６を介して接するように配する。４個のフレーム片１１１を配した後に、内部用係合孔１１２からねじ１７を挿入し、このねじ１７を隣接する他のフレーム片１１１の内部用係合部１１３に係合させて内部フレーム１１を設ける。そして、この内部フレーム１１の筐体内部に、表示部とコントロール部とからなる電子部品（図示省略）を備える。
【００３３】
電子部品を備えた後に、４個のフレーム片１１１の凹部１１４にパネルパッキン１５を設け、内部フレーム１１の表裏面に透明パネル１３を設ける。透明パネル１３を設けた後に４個のフレーム片１１１それぞれを覆うように４個の外部フレーム１２それぞれの係合孔１２１からねじ１７を挿入し、このねじ１７をそれぞれ外部フレーム１２によって覆われたフレーム片１１１の外部用係合孔１１９に係合させて外部フレーム１２と内部フレーム１１とを係合する。この時、図３に示すように、外部フレーム１２の押圧部１２２を外方から圧着して透明パネル１３を外部フレーム１２の押圧部１２２と内部フレーム１１の凹部１１４とによって挟持して筐体内部を密封状態にする。
【００３４】
そして、外部フレーム１２を内部フレーム１１に係合した後に、図１に示すように、４個の外部フレーム１２の長手方向端部１２ａと、外部フレーム１２によって被覆していない内部フレーム１１とを覆うように、コーナーカバー１４を設けてＬＥＤ表示装置１を製造する。
【００３５】
上述したように、このＬＥＤ表示装置１によれば、外部フレーム１２に係合孔１２１が設けられ、内部フレーム１１に防止手段１１５が設けられているので、外部フレーム１２の係合孔１２１から雨水などの液体が筐体内部に浸入する場合であっても、防止手段１１５によりその雨水などの液体が係合孔１２１から内部フレーム１１を通して筐体内部に備えた電子部品へ浸入するのを防止することができる。
【００３６】
すなわち、このＬＥＤ表示装置１には、フレーム片１１１に外部用係合孔１１７と閉塞フレーム１１６とが設けられているので、この閉塞フレーム１１６によって閉塞された空間Ａ１内で、外部から係合孔１２１と外部用係合孔１１７とを通って筐体内部に備えた電子部品へ達する液体の浸入を止めることができる。
【００３７】
また、内部用係合孔１１２および内部用係合部１１３がフレーム片１１１に設けられているので、４個のフレーム片１１１を連接するために別途連結部材を用いなくてもよく、製造コストを削減することができる。
【００３８】
また、ねじ１７等の係合部材を用いて、４個のフレーム片１１１から内部フレーム１１が設けられたとしても、フレーム片１１１の内部用係合孔１１２が設けられた側面１１１ｃからこのフレーム片１１１と隣接するフレーム片１１１の内部用係合部１１３への距離を短くして、この短くした距離だけねじのねじ長さを短くすることができる。そのため、製造コストを削減することができる。
【００３９】
また、フレーム片１１１の長手方向端面１１１ｂがその側面１１１ｃに対して４５°の角度をもって傾斜するよう形成され、内部フレーム１１が、隣接するフレーム片１１１の隣接する長手方向端面１１１ｂにおいてフレームパッキン１６が介在されているので、４個のフレーム片１１１のそれぞれ隣接する長手方向端面１１１ｂから筐体内部に備えた電子部品への雨水などの液体の浸入を防止することができる。
【００４０】
なお、本実施の形態１では、板状のフレーム片１１１を４個用いたが、これに限定されるものではなく、フレーム片１１１を電子部品の外方に設けておれば、５個等の複数個のフレーム片であればよく、また、その形状は湾曲してもよい。
【００４１】
また、本実施の形態１では、フレーム片１１１に閉塞フレーム１１６と外部用係合孔１１７とが設けられているが、これに限定されることはなく、例えば閉塞フレームが複数個のフレーム片にまたがった状態で設けられてよい。
【００４２】
また、本実施の形態１では、フレーム片１１１の長手方向端面１１１ｂがその側面１１１ｃに対して４５°の角度をもって形成されているが、これに限定されるものではなく、この角度はフレーム片の数と形状とによって決定されている。例えば、５個の板状のフレーム片を用いる場合、フレーム片の長手方向端面が、フレーム片の側面に対して３６°傾斜するよう形成されていれば、５個のフレーム片は、それぞれ隣接するフレーム片の隣接する長手方向端面同士において接することができる。
【００４３】
また、本実施の形態１では、内部フレーム１１と外部フレーム１２とによって筐体の側面を構成しているが、これに限定されるものではなく、内部フレーム１１と外部フレーム１２とによって少なくとも筐体の一部、例えば筐体の全面等を構成してもよい。
【００４４】
また、本実施の形態１では、外部用係合孔１１７に設けられたねじ固定用タップ１１８は貫通しているが、これに限定されるものではなく、このねじ固定用タップは被覆されてもよい。
【００４５】
この場合、外部用係合孔１１７のねじ固定用タップ１１８が被覆されているので、外部から係合孔１２１と外部用係合孔１１７とを通って筐体内部に備えた電子部品へ達する雨水などの液体の浸入を、外部用係合孔１１７のねじ固定用タップ１１８において止めることができる。
【００４６】
次に、本実施の形態１にかかるＬＥＤ表示装置１と同様の作用効果を有するＬＥＤ表示装置を説明する。
【００４７】
＜実施の形態２＞
本実施の形態２にかかるＬＥＤ表示装置１は、内部フレームの点で実施の形態１にかかるＬＥＤ表示装置と異なる。そのため、本実施の形態２では、内部フレーム１１の実施の形態１と異なる点のみ以下に説明し、同一の点についての説明を省略する。また、本実施の形態２では、実施の形態１にかかるＬＥＤ表示装置１と共通する構成要素に関する図面は、実施の形態１で用いた図面と同一の図面を用いる。
【００４８】
このＬＥＤ表示装置１は、図１に示すように、その筐体側面が内部フレーム１１と外部フレーム１２とが係合されてなり、その筐体表裏面が透明パネル１３からなる。また、このＬＥＤ表示装置１の各隅部にコーナーカバー１４が設けられ、筐体内部に電子部品（図示省略）が備えられている。
【００４９】
外部フレーム１２には、その側面中央部１１１ｅに係合孔１２１が設けられ（図２参照）、その表裏面側端部１２ｂに押圧部１２２が形成されている（図３参照）。
【００５０】
内部フレーム１１は、図１に示すように、４個の板状のフレーム片１１１によって筐体内部に備えた電子部品の側面を囲むようにして設けられている。
【００５１】
フレーム片１１１には、図５に示すように、隣接する他のフレーム片１１１（図２参照）と係合するための内部用係合孔１１２および内部用係合部１１３が設けられている。内部用係合孔１１２はフレーム片１１１の側面１１１ｃに設けられ、内部用係合部１１３はフレーム片１１１の長手方向端部１１１ａであって側面１１１ｃから突出して設けられている。
【００５２】
また、この内部フレーム１１には、図５に示すように、雨水等の液体が外部フレーム１２の係合孔１２１から内部フレーム１１を通して筐体内部に備えた電子部品へ浸入するのを防止する防止手段１１５が設けられている。
【００５３】
この防止手段１１５は、フレーム片１１１に、内部用係合部１１３と、外部フレーム１２の係合孔１２１と連通する外部用係合孔１１７と、この外部用係合孔１１７と内部用係合孔１１２とを含む筐体内部に備えた電子部品側の一部の空間Ａ１を閉塞してその他の電子部品側の空間Ａ２と隔てるための閉塞フレーム１１６とが設けられてなる（図５参照）。
【００５４】
この閉塞フレーム１１６によって閉塞された空間Ａ１内で、外部から係合孔１２１と外部用係合孔１１７を通って、または外部フレーム１２の係合孔１２１と内部フレーム１１の内部用係合部１１３とを通して筐体内部に備えた電子部品へ達する液体の浸入を止める。
【００５５】
上述したように、このＬＥＤ表示装置１によれば、内部フレーム１１を構成するフレーム片１１１に内部用係合孔１１２および内部用係合部１１３が設けられ、内部用係合部１１３が閉塞フレーム１１６によって閉塞された空間Ａ１内に設けられているので、雨水などの液体が外部フレーム１２の係合孔１２１から内部フレーム１１の外部用係合孔１１９を通して筐体内部に備えた電子部品へ浸入する場合だけでなく、液体が外部フレーム１２の係合孔１２１から内部フレーム１１の内部用係合部１１３を通して筐体内部に備えた電子部品へ浸入する場合であっても、閉塞フレーム１１６によって閉塞された空間Ａ１内でその浸入を止めることができる。
【００５６】
また、内部用係合孔１１２および内部用係合部１１３がフレーム片１１１に設けられているので、４個のフレーム片１１１を連接するために別途連結部材を用いなくてもよく、製造コストを削減することができる。
【００５７】
＜実施の形態３＞
本実施の形態３にかかるＬＥＤ表示装置１は、内部フレームの点で実施の形態１にかかるＬＥＤ表示装置１と異なる。そのため、本実施の形態３では、内部フレーム１１の実施の形態１と異なる点のみ以下に説明し、同一の点についての説明を省略する。また、本実施の形態３では、実施の形態１にかかるＬＥＤ表示装置１と共通する構成要素に関する図面は、実施の形態１で用いた図面と同一の図面を用いる。
【００５８】
このＬＥＤ表示装置１は、図１に示すように、その筐体側面が内部フレーム１１と外部フレーム１２とが係合されてなり、その筐体表裏面が透明パネル１３からなる。また、このＬＥＤ表示装置１の各隅部にコーナーカバー１４が設けられ、筐体内部に電子部品（図示省略）が備えられている。
【００５９】
外部フレーム１２には、その側面中央部１１１ｅに係合孔１２１が設けられ（図２参照）、表裏面側端部１２ｂに押圧部１２２が形成されている（図３参照）。
【００６０】
内部フレーム１１は、図１に示すように、４個の板状のフレーム片１１１によって筐体内部に備えた電子部品の側面を囲むようにして設けられている。
【００６１】
このフレーム片１１１には、図６に示すように、隣接する他のフレーム片１１１（図２参照）と係合するための内部用係合孔１１２および内部用係合部１１３が設けられている。内部用係合孔１１２はフレーム片１１１の側面１１１ｃに設けられ、内部用係合部１１３はフレーム片１１１の長手方向端部１１１ａであって側面１１１ｃから突出して設けられている。
【００６２】
また、この内部フレーム１１には、図６に示すように、雨水等の液体が外部フレーム１２の係合孔１２１から内部フレーム１１を通して筐体内部に備えた電子部品へ浸入するのを防止する防止手段１１５が設けられている。
【００６３】
この防止手段１１５は、フレーム片１１１に、内部用係合部１１３と、外部フレーム１２の係合孔１２１と連通する外部用係合凹部３１７と、この外部用係合凹部３１７周辺の内部用係合孔１１２を含む筐体内部に備えた電子部品側の一部の空間Ａ１を閉塞してその他の電子部品側の空間Ａ２と隔てるための閉塞フレーム１１６とが設けられてなる（図６参照）。
【００６４】
この防止手段１１５により、外部用係合凹部３１７の底３１７ａで、外部から係合孔を通って筐体内部に備えた電子部品へ達する液体の浸入を止める。また、閉塞フレーム１１６によって閉塞された空間Ａ１内で、外部から外部フレーム１２の係合孔１２１と内部フレーム１１の内部用係合部１１３とを通して筐体内部に備えた電子部品へ達する液体の浸入を止める。
【００６５】
上述したように、このＬＥＤ表示装置１によれば、内部フレーム１１に外部用係合凹部３１７が設けられているので、外部から外部フレーム１２の係合孔１２１を通って筐体内部に備えた電子部品へ達する雨水などの液体の浸入を、内部フレーム１１の外部用係合凹部３１７の底３１７ａで止めることができる。
【００６６】
また、内部フレーム１１を構成するフレーム片１１１に内部用係合孔１１２および内部用係合部１１３が設けられ、内部用係合部１１３が閉塞フレーム１１６によって閉塞された空間Ａ１内に設けられているので、雨水などの液体が外部フレーム１２の係合孔１２１から内部フレーム１１の外部用係合凹部３１７を通して筐体内部に備えた電子部品へ浸入する場合だけでなく、液体が外部フレーム１２の係合孔１２１から内部フレーム１１の内部用係合部１１３を通して筐体内部に備えた電子部品へ浸入する場合であっても、閉塞フレーム１１６によって閉塞された空間Ａ１内でその浸入を止めることができる。
【００６７】
また、内部用係合孔１１２および内部用係合部１１３がフレーム片１１１に設けられているので、４個のフレーム片１１１を連接するために別途連結部材を用いなくてもよく、製造コストを削減することができる。
【００６８】
【発明の効果】
以上、説明したように、本発明にかかる防水構造を有する電子機器によれば、外部フレームの係合孔から雨水などの液体が筐体内部に浸入する場合であっても、その雨水などの液体が筐体内部に備えた電子部品まで浸入するのを防止することができる。また、本発明にかかる防水構造を有する電子機器によれば、外部フレームと内部フレームとを係合して筐体を設ける際、別途連結部材を用いずに製造コストを削減することができる。
【００６９】
すなわち、本発明にかかる防水構造を有する電子機器によれば、外部フレームに係合孔が設けられ、内部フレームに防止手段が設けられているので、外部フレームの係合孔から雨水などの液体が筐体内部に浸入する場合であっても、防止手段によりその雨水などの液体が係合孔から内部フレームを通して筐体内部に備えた電子部品へ浸入するのを防止することができる。
【図面の簡単な説明】
【図１】本実施の形態１にかかるＬＥＤ表示装置の概略斜視図である。
【図２】（ａ）は、本実施の形態１にかかるＬＥＤ表示装置に設けた内部フレームと外部フレームとの概略斜視図であり、（ｂ）は、（ａ）に示す円ａの拡大図である。
【図３】（ａ）は、本実施の形態１にかかるＬＥＤ表示装置に設けた内部フレームと外部フレームとの係合を示した要部平面図であり、（ｂ）は、（ａ）に示す円ｂの拡大図である。
【図４】本実施の形態１にかかるＬＥＤ表示装置に設けたフレーム片の平面図及び正面図である。
【図５】本実施の形態２にかかるＬＥＤ表示装置に設けたフレーム片の正面図である。
【図６】本実施の形態３にかかるＬＥＤ表示装置に設けたフレーム片の正面図である。
【図７】従来のＬＥＤ表示装置に設けた内部フレームと外部フレームとの要部斜視図である。
【符号の説明】
１  電子機器（ＬＥＤ表示装置）
１１  内部フレーム
１１１  フレーム片
１１１ａ  フレーム片の長手方向端部
１１１ｂ  フレーム片の長手方向端面
１１２  内部用係合孔
１１３  内部用係合部
１１５  防止手段
１１７  外部用係合孔
１１６  閉塞フレーム
１６  フレームパッキン
１２  外部フレーム
１２１  係合孔
３１７  外部用係合凹部
３１７ａ  外部用係合凹部の底
Ａ１  閉塞された空間
Ａ２  その他の電子部品側の空間
【図１】
2004152788.tif 000003
【図２】
2004152788.tif 000004
【図３】
2004152788.tif 000005
【図４】
2004152788.tif 000006
【図５】
2004152788.tif 000007
【図６】
2004152788.tif 000008
【図７】
2004152788.tif 000009